(57)【要約】【課題】並べて使用されるが相対位置関係が固定されていない第１表示装置と第２表示装置が位置ズレしたりある程度離れたりしても、これらの表示装置を跨いで使用できる表示範囲を減らすことなく、第１表示装置の表示内容のどの部分と第２表示装置の表示内容のどの部分とが対応しているかを使用者に容易に認識させることのできる表示制御装置等を提供する。【解決手段】第１表示装置１０に元画面の中の第１領域Ｒを表示させ、第２表示装置３０に元の画面の中で第１領域に隣接する第２領域Ｑを表示すると共に、元画面において第１領域Ｒと第２領域Ｑの境界を挟んで隣り合う位置にある第１領域側の第１箇所と第２領域側の第２箇所とを対応付ける対応付け情報５３を表示する。たとえば、各行Ｅ〜Ｆの切れ目に、対応付け情報として、斜めの線分５３を表示する。【選択図】図５
2015049341.tif 000002
【特許請求の範囲】
【請求項１】
一の画面を第１画面と第２画面に分割し、並べて使用されるが相対位置関係が固定されていない第１表示装置と第２表示装置のうちの前記第１表示装置に前記第１画面を、前記第２表示装置に前記第２画面を表示させる表示制御部と、
前記第１表示装置に表示された前記第１画面のどの部分と前記第２表示装置に表示された前記第２画面のどの部分とが前記一の画面において繋がっていたかを示す対応付け情報を、前記第１表示装置と前記第２表示装置の双方もしくは一方に表示させる対応付け情報表示制御部と、
を有する
ことを特徴とする表示制御装置。
【請求項２】
第１表示装置とこれに並置される第２表示装置との相対位置を示す相対位置情報を取得する相対位置情報取得部を備え、
前記対応付け情報表示制御部は、相対位置情報取得部の取得した前記相対位置情報から、前記第１表示装置に表示された前記第１画面と前記第２表示装置に表示された前記第２画面が位置ズレしているか否かを判定し、位置ズレしていない場合は、前記対応付け情報の表示を禁止する
ことを特徴とする請求項１に記載の表示制御装置。
【請求項３】
前記対応付け情報は、前記一の画面において前記第１画面と前記第２画面に跨るオブジェクトの前記第１画面側の切れ目箇所と前記第２画面側の切れ箇所とを対応付ける
ことを特徴とする請求項１または２に記載の表示制御装置。
【請求項４】
前記対応付け情報表示制御部は、使用者の視線の位置に基づいて前記一の画面における前記第１画面と前記第２画面との境界上の一の箇所を特定し、前記第１画面側の前記一の箇所と前記第２画面側の前記一の箇所とを対応付ける対応付け情報を表示する
ことを特徴とする請求項１または２に記載の表示制御装置。
【請求項５】
前記対応付け情報表示制御部は、前記対応付け情報として、前記一の画面において繋がっていた前記第１画面側の第１箇所と前記第２画面側の第２箇所に一対の識別マークを表示する
ことを特徴とする請求項１乃至４のいずれか１つに記載の表示制御装置。
【請求項６】
第１表示装置とこれに並置される第２表示装置との相対位置を示す相対位置情報を取得する相対位置情報取得部を備え、
対応付け情報表示制御部は、前記一の画面において繋がっていた前記第１画面側の第１箇所と前記第２画面側の第２箇所とを繋ぐ線分の傾斜を前記相対位置情報に基づいて求めて、前記線分を前記対応付け情報として表示する
ことを特徴とする請求項１乃至５のいずれか１つに記載の表示制御装置。
【請求項７】
対応付け情報表示制御部は、前記第１表示装置と前記第２表示装置との位置ズレが所定の上限量以下の場合は、前記対応付け情報として前記線分を表示させ、前記位置ズレが前記上限量を超える場合は、前記対応付け情報として前記識別マークを表示させる
ことを特徴とする請求項５を引用する請求項６に記載の表示制御装置。
【請求項８】
対応付け情報表示制御部は、使用者の視線の位置が安定した場合に前記特定を行って前記対応付け情報を表示させる
ことを特徴とする請求項４に記載の表示制御装置。
【請求項９】
前記対応付け情報の表示を、次に視線の位置が安定するまで保持させる
ことを特徴とする請求項８に記載の表示制御装置。
【請求項１０】
前記対応付け情報の表示を、所定の消去条件が成立するまで保持する
ことを特徴とする請求項４に記載の表示制御装置。
【請求項１１】
使用者の視線の位置に、前記一の画面において前記第１画面と前記第２画面に跨るオブジェクトがある場合に、該オブジェクトの前記第１画面と前記第２画面との境界上の位置を前記一の箇所に特定する
ことを特徴とする請求項４に記載の表示制御装置。
【請求項１２】
請求項１乃至１１のいずれか１項に記載の表示制御装置と、
前記第１表示装置と、
前記第２表示装置と、
を有する
ことを特徴とする表示システム。
【請求項１３】
情報処理装置を、
一の画面を第１画面と第２画面に分割し、並べて使用されるが相対位置関係が固定されていない第１表示装置と第２表示装置のうちの前記第１表示装置に前記第１画面を表示させ、前記第２表示装置に前記第２画面を表示させる表示制御部、および
前記第１表示装置に表示された前記第１画面のどの部分と前記第２表示装置に表示された前記第２画面のどの部分とが前記一の画面において繋がっていたかを示す対応付け情報を、前記第１表示装置と前記第２表示装置の双方もしくは一方に表示させる対応付け情報表示制御部
として機能させる
ことを特徴とする表示制御プログラム。
【請求項１４】
表示部と、
一の画面を第１画面と第２画面に分割し、前記表示部に前記第１画面を表示させ、自表示装置と並べて使用されるが自表示装置との相対位置関係が固定されていない他の表示装置に前記第２画面を表示させる表示制御部と、
前記表示部に表示された前記第１画面のどの部分と前記他の表示装置に表示された前記第２画面のどの部分とが前記一の画面において繋がっていたかを示す対応付け情報を、前記表示部と前記他の表示装置の双方もしくは一方に表示させる対応付け情報表示制御部と、
を有する
ことを特徴とする表示装置。
【請求項１５】
自表示装置とこれに並置される前記他の表示装置との相対位置を示す相対位置情報を取得する相対位置情報取得部を備え、
前記対応付け情報表示制御部は、相対位置情報取得部の取得した前記相対位置情報から、自表示装置に表示された前記第１画面と前記他の表示装置に表示された前記第２画面が位置ズレしているか否かを判定し、位置ズレしていない場合は、前記対応付け情報の表示を禁止する
ことを特徴とする請求項１４に記載の表示装置。
【請求項１６】
前記対応付け情報は、前記一の画面において前記第１画面と前記第２画面に跨るオブジェクトの前記第１画面側の切れ目箇所と前記第２画面側の切れ箇所とを対応付ける
ことを特徴とする請求項１４または１５に記載の表示装置。
【請求項１７】
前記対応付け情報表示制御部は、使用者の視線の位置に基づいて前記一の画面における前記第１画面と前記第２画面との境界上の一の箇所を特定し、前記第１画面側の前記一の箇所と前記第２画面側の前記一の箇所とを対応付ける対応付け情報を表示する
ことを特徴とする請求項１４または１５に記載の表示装置。
【請求項１８】
前記対応付け情報表示制御部は、前記対応付け情報として、前記一の画面において繋がっていた前記第１画面側の第１箇所と前記第２画面側の第２箇所に一対の識別マークを表示する
ことを特徴とする請求項１４乃至１７のいずれか１つに記載の表示装置。
【請求項１９】
自表示装置とこれに並置される前記他の表示装置との相対位置を示す相対位置情報を取得する相対位置情報取得部を備え、
対応付け情報表示制御部は、前記一の画面において繋がっていた前記第１画面側の第１箇所と前記第２画面側の第２箇所とを繋ぐ線分の傾斜を前記相対位置情報に基づいて求めて、前記線分を前記対応付け情報として表示する
ことを特徴とする請求項１４乃至１８のいずれか１つに記載の表示装置。
【請求項２０】
対応付け情報表示制御部は、自表示装置と前記他の表示装置との位置ズレが所定の上限量以下の場合は、前記対応付け情報として前記線分を表示させ、前記位置ズレが前記上限量を超える場合は、前記対応付け情報として前記識別マークを表示させる
ことを特徴とする請求項１８を引用する請求項１９に記載の表示装置。
【請求項２１】
対応付け情報表示制御部は、使用者の視線の位置が安定した場合に前記特定を行って前記対応付け情報を表示させる
ことを特徴とする請求項１７に記載の表示装置。
【請求項２２】
前記対応付け情報の表示を、次に視線の位置が安定するまで保持させる
ことを特徴とする請求項２１に記載の表示装置。
【請求項２３】
前記対応付け情報の表示を、所定の消去条件が成立するまで保持する
ことを特徴とする請求項１７に記載の表示装置。
【請求項２４】
使用者の視線の位置に、前記一の画面において前記第１画面領域と前記第２画面に跨るオブジェクトがある場合に、該オブジェクトの前記第１画面と前記第２画面との境界上の位置を前記一の箇所に特定する
ことを特徴とする請求項１７に記載の表示装置。
【発明の詳細な説明】
【技術分野】
【０００１】
本発明は、並置される複数の表示装置に画面を分担して表示させる表示制御装置、表示システム、表示プログラム、表示装置に関する。
【背景技術】
【０００２】
並置された複数の表示装置に画面を分担して表示させる技術がある。
【０００３】
たとえば、外側筐体を開いたときに内側筐体に内蔵された画面と外側筐体に内蔵された画面が横に並んでこれらの２画面を同時に使用可能になる携帯電話がある（下記特許文献１参照）。この場合、２つの画面の相対位置は固定されている。
【先行技術文献】
【特許文献】
【０００４】
【特許文献１】特開２００８−１８２２８９号公報
【発明の概要】
【発明が解決しようとする課題】
【０００５】
複合機が有する固定された操作パネルの横にタブレット端末等の表示装置を手で持って並べて使用したり、手持ちで複数の表示装置を並べて使用したりする場合には、操作パネルと表示装置との相対位置や複数台の表示装置同士の相対位置を安定に保持することは難しい。そのため、手振れが起きると、表示内容が位置ずれして見難くなってしまう。
【０００６】
たとえば、図１１（ａ）に示すように、第１表示装置１０１と第２表示装置１０２を並置し、１つの画面を２つの表示装置１０１、１０２に跨るように表示していたとする。同図（ａ）ではＥ、Ｆ、Ｇ、Ｈの４つの行が第１表示装置１０１と第２表示装置１０２に跨るように表示されている。この状態から同図（ｂ）に示すように、第２表示装置１０２が下方に位置ズレすると、第１表示装置１０１に表示されている各行と、第２表示装置に表示されている各行との対応関係が不明確になって見難くなり、場合によって、異なる行を同じ行として誤認してしまう。
【０００７】
このような場合に、いずれかの表示装置の表示内容を移動させて位置ズレを補正することが考えられる。たとえば、位置ズレ量を検出し、同図（ｃ）に示すように、第２表示装置１０２の表示内容を移動させて各行が繋がるようにすることができる。しかし、このような補正を行うと、２つの表示装置１０１、１０２に跨って表示される行はＦ、Ｇ、Ｈの３つの行のみとなり、２つの表示装置を跨いで使用できる有効な表示範囲は少なくなってしまう。
【０００８】
このほか、２つの表示装置がある程度離れて使用されることもある。たとえば、第１表示装置が固定され、第２表示装置が手持ち可能な場合に、機密性の高い項目を手持ち可能な第２表示装置に表示させ、固定された第１表示装置に他の項目を表示させて、第２表示装置を使用者が手元で見るようにすれば、セキュリティを確保することができる。このように、ある程度離れて使用される場合にも、第１表示装置の表示内容のどの部分と第２表示装置の表示内容のどの部分が、元々繋がっていたかを使用者が容易に認識できるようにすることが望まれる。
【０００９】
本発明は、上記の問題を解決しようとするものであり、第１表示装置と第２表示装置が位置ズレしたりある程度離れたりしても、これらの表示装置を跨いで使用できる表示範囲を減らすことなく、第１表示装置の表示内容のどの部分と第２表示装置の表示内容のどの部分が元の画面で繋がっていたかを使用者に容易に認識させることのできる表示制御装置、表示システム、表示プログラム、表示装置を提供することを目的としている。
【課題を解決するための手段】
【００１０】
かかる目的を達成するための本発明の要旨とするところは、次の各項の発明に存する。
【００１１】
［１］一の画面を第１画面と第２画面に分割し、並べて使用されるが相対位置関係が固定されていない第１表示装置と第２表示装置のうちの前記第１表示装置に前記第１画面を、前記第２表示装置に前記第２画面を表示させる表示制御部と、
前記第１表示装置に表示された前記第１画面のどの部分と前記第２表示装置に表示された前記第２画面のどの部分とが前記一の画面において繋がっていたかを示す対応付け情報を、前記第１表示装置と前記第２表示装置の双方もしくは一方に表示させる対応付け情報表示制御部と、
を有する
ことを特徴とする表示制御装置。
【００１２】
上記発明および下記［１４］に記載の発明では、元の画面から分割された第１画面は第１表示装置（自表示装置）に表示され、第２画面は第２表示装置（他の表示装置）に表示される。また、第１表示装置に表示された第１画面のどの部分と第２表示装置に表示された第２画面のどの部分とが元の画面において繋がっていたかを示す対応付け情報が表示される。これにより、第１表示装置と第２表示装置が位置ズレしたりある程度離れたりしても、第１表示装置の表示内容のどの部分と第２表示装置の表示内容のどの部分とが元の画面で繋がっていたかを使用者に容易に認識させることができる。
【００１３】
［２］第１表示装置とこれに並置される第２表示装置との相対位置を示す相対位置情報を取得する相対位置情報取得部を備え、
前記対応付け情報表示制御部は、相対位置情報取得部の取得した前記相対位置情報から、前記第１表示装置に表示された前記第１画面と前記第２表示装置に表示された前記第２画面が位置ズレしているか否かを判定し、位置ズレしていない場合は、前記対応付け情報の表示を禁止する
ことを特徴とする［１］に記載の表示制御装置。
【００１４】
上記発明および下記［１５］に記載の発明では、第１表示装置（自表示装置）と第２表示装置（他の表示装置）の相対位置を検出して表示内容の位置ズレの有無を判断し、位置ズレがあれば、対応付け情報を表示し、位置ズレがなければ、対応付け情報を表示しない。
【００１５】
［３］前記対応付け情報は、前記一の画面において前記第１画面と前記第２画面に跨るオブジェクトの前記第１画面側の切れ目箇所と前記第２画面側の切れ箇所とを対応付ける
ことを特徴とする［１］または［２］に記載の表示制御装置。
【００１６】
上記発明および下記［１６］に記載の発明では、第１表示装置（自表示装置）と第２表示装置（他の表示装置）に跨って表示されるオブジェクトの切れ目の位置に対応付け情報が表示される。
【００１７】
［４］前記対応付け情報表示制御部は、使用者の視線の位置に基づいて前記一の画面における前記第１画面と前記第２画面との境界上の一の箇所を特定し、前記第１画面側の前記一の箇所と前記第２画面側の前記一の箇所とを対応付ける対応付け情報を表示する
ことを特徴とする［１］または［２］に記載の表示制御装置。
【００１８】
上記発明および下記［１７］に記載の発明では、使用者の視線の位置に基づいて元の画面における第１画面と第２画面との境界上の一の箇所を特定する。たとえば、視線の位置に第１画面と第２画面に跨るオブジェクトがあれば、そのオブジェクトの第１画面と第２画面の境界線上の位置を一の箇所に特定する。あるいは、視線の位置から第１画面と第２画面との境界線に向けて下ろした垂線と該境界線との交点を一の箇所に特定する。そして、第１画面側の一の箇所と第２画面側の一の箇所とを対応付ける対応付け情報を表示する。
【００１９】
［５］前記対応付け情報表示制御部は、前記対応付け情報として、前記一の画面において繋がっていた前記第１画面側の第１箇所と前記第２画面側の第２箇所に一対の識別マークを表示する
ことを特徴とする［１］乃至［４］のいずれか１つに記載の表示制御装置。
【００２０】
上記発明および下記［１８］に記載の発明では、元の画面において繋がっていた第１画面側の第１箇所と第２画面側の第２箇所に一対の識別マークを表示する。一対の識別マークの一方と他方は同じマークでもよいし、異なるマークでもよい。たとえば、凸と凹のように繋ぎ合わせを示唆するような異なるマークでもよい。
【００２１】
［６］第１表示装置とこれに並置される第２表示装置との相対位置を示す相対位置情報を取得する相対位置情報取得部を備え、
対応付け情報表示制御部は、前記一の画面において繋がっていた前記第１画面側の第１箇所と前記第２画面側の第２箇所とを繋ぐ線分の傾斜を前記相対位置情報に基づいて求めて、前記線分を前記対応付け情報として表示する
ことを特徴とする［１］乃至［５］のいずれか１つに記載の表示制御装置。
【００２２】
上記発明および下記［１９］に記載の発明では、元の画面において繋がっていた第１画面側の第１箇所と第２画面側の第２箇所とを繋ぐ線分が対応付け情報として表示される。線分の傾斜は、第１表示装置と第２表示装置の相対位置を検出する相対位置情報取得部が出力する相対位置情報に基づいて決定する。この線分は、第１表示装置と第２表示装置との隣り合う端部の双方に表示される、あるいは、いずれか一方の端部のみに表示される。
【００２３】
［７］対応付け情報表示制御部は、前記第１表示装置と前記第２表示装置との位置ズレが所定の上限量以下の場合は、前記対応付け情報として前記線分を表示させ、前記位置ズレが前記上限量を超える場合は、前記対応付け情報として前記識別マークを表示させる
ことを特徴とする［５］を引用する［６］に記載の表示制御装置。
【００２４】
上記発明および下記［２０］に記載の発明では、たとえば、斜めの線分で第１箇所と第２箇所を結ぶことができる限界の位置ズレ量を上限量とする。そして、第１表示装置（自表示装置）と第２表示装置（他の表示装置）との位置ズレ量が上限量以下の場合は、対応付け情報として線分を表示し、位置ズレが上限量を超える場合は、対応付け情報として識別マークを表示する。
【００２５】
［８］対応付け情報表示制御部は、使用者の視線の位置が安定した場合に前記特定を行って前記対応付け情報を表示させる
ことを特徴とする［４］に記載の表示制御装置。
【００２６】
上記発明および下記［２１］に記載の発明では、視線が安定したときの視線の位置に基づいて第１箇所、第２箇所を特定する。
【００２７】
［９］前記対応付け情報の表示を、次に視線の位置が安定するまで保持させる
ことを特徴とする［８］に記載の表示制御装置。
【００２８】
上記発明および下記［２２］に記載の発明では、視線の安定に基づいて対応付け情報を表示したときは、その後、視線が移動しても、次に視線の位置が安定するまで、該対応付け情報の表示を保持する。
【００２９】
［１０］前記対応付け情報の表示を、所定の消去条件が成立するまで保持する
ことを特徴とする［４］に記載の表示制御装置。
【００３０】
上記発明および下記［２３］に記載の発明では、使用者の視線の位置に基づいて実行された応付け情報の表示は、所定の消去条件が成立するまで保持される。たとえば、消去条件は、対応付け情報を表示してから一定時間の経過や、次の対応付け情報の表示などである。
【００３１】
［１１］使用者の視線の位置に、前記一の画面において前記第１画面と前記第２画面に跨るオブジェクトがある場合に、該オブジェクトの前記第１画面と前記第２画面との境界上の位置を前記一の箇所に特定する
ことを特徴とする［４］に記載の表示制御装置。
【００３２】
上記発明および下記［２４］に記載の発明では、使用者の視線が、第１画面域と第２画面に跨るオブジェクト上にある場合に、そのオブジェクトの切れ目の箇所を対応付けるための対応付け情報が表示される。
【００３３】
［１２］［１］乃至［１１］のいずれか１項に記載の表示制御装置と、
前記第１表示装置と、
前記第２表示装置と、
を有する
ことを特徴とする表示システム。
【００３４】
［１３］情報処理装置を、
一の画面を第１画面と第２画面に分割し、並べて使用されるが相対位置関係が固定されていない第１表示装置と第２表示装置のうちの前記第１表示装置に前記第１画面を表示させ、前記第２表示装置に前記第２画面を表示させる表示制御部、および
前記第１表示装置に表示された前記第１画面のどの部分と前記第２表示装置に表示された前記第２画面のどの部分とが前記一の画面において繋がっていたかを示す対応付け情報を、前記第１表示装置と前記第２表示装置の双方もしくは一方に表示させる対応付け情報表示制御部
として機能させる
ことを特徴とする表示制御プログラム。
【００３５】
［１４］表示部と、
一の画面を第１画面と第２画面に分割し、前記表示部に前記第１画面を表示させ、自表示装置と並べて使用されるが自表示装置との相対位置関係が固定されていない他の表示装置に前記第２画面を表示させる表示制御部と、
前記表示部に表示された前記第１画面のどの部分と前記他の表示装置に表示された前記第２画面のどの部分とが前記一の画面において繋がっていたかを示す対応付け情報を、前記表示部と前記他の表示装置の双方もしくは一方に表示させる対応付け情報表示制御部と、
を有する
ことを特徴とする表示装置。
【００３６】
［１５］自表示装置とこれに並置される前記他の表示装置との相対位置を示す相対位置情報を取得する相対位置情報取得部を備え、
前記対応付け情報表示制御部は、相対位置情報取得部の取得した前記相対位置情報から、自表示装置に表示された前記第１画面と前記他の表示装置に表示された前記第２画面が位置ズレしているか否かを判定し、位置ズレしていない場合は、前記対応付け情報の表示を禁止する
ことを特徴とする［１４］に記載の表示装置。
【００３７】
［１６］前記対応付け情報は、前記一の画面において前記第１画面と前記第２画面に跨るオブジェクトの前記第１画面側の切れ目箇所と前記第２画面側の切れ箇所とを対応付ける
ことを特徴とする［１４］または［１５］に記載の表示装置。
【００３８】
［１７］前記対応付け情報表示制御部は、使用者の視線の位置に基づいて前記一の画面における前記第１画面と前記第２画面との境界上の一の箇所を特定し、前記第１画面側の前記一の箇所と前記第２画面側の前記一の箇所とを対応付ける対応付け情報を表示する
ことを特徴とする［１４］または［１５］に記載の表示装置。
【００３９】
［１８］前記対応付け情報表示制御部は、前記対応付け情報として、前記一の画面において繋がっていた前記第１画面側の第１箇所と前記第２画面側の第２箇所に一対の識別マークを表示する
ことを特徴とする［１４］乃至［１７］のいずれか１つに記載の表示装置。
【００４０】
［１９］自表示装置とこれに並置される前記他の表示装置との相対位置を示す相対位置情報を取得する相対位置情報取得部を備え、
対応付け情報表示制御部は、前記一の画面において繋がっていた前記第１画面側の第１箇所と前記第２画面側の第２箇所とを繋ぐ線分の傾斜を前記相対位置情報に基づいて求めて、前記線分を前記対応付け情報として表示する
ことを特徴とする［１４］乃至［１８］のいずれか１つに記載の表示装置。
【００４１】
［２０］対応付け情報表示制御部は、自表示装置と前記他の表示装置との位置ズレが所定の上限量以下の場合は、前記対応付け情報として前記線分を表示させ、前記位置ズレが前記上限量を超える場合は、前記対応付け情報として前記識別マークを表示させる
ことを特徴とする［１８］を引用する［１９］に記載の表示装置。
【００４２】
［２１］対応付け情報表示制御部は、使用者の視線の位置が安定した場合に前記特定を行って前記対応付け情報を表示させる
ことを特徴とする［１７］に記載の表示装置。
【００４３】
［２２］前記対応付け情報の表示を、次に視線の位置が安定するまで保持させる
ことを特徴とする［２１］に記載の表示装置。
【００４４】
［２３］前記対応付け情報の表示を、所定の消去条件が成立するまで保持する
ことを特徴とする［１７］に記載の表示装置。
【００４５】
上記発明では、使用者の視線の位置に基づいて実行された対応付け情報の表示は、所定の消去条件が成立するまで保持される。
【００４６】
［２４］使用者の視線の位置に、前記一の画面において前記第１画面領域と前記第２画面に跨るオブジェクトがある場合に、該オブジェクトの前記第１画面と前記第２画面との境界上の位置を前記一の箇所に特定する
ことを特徴とする［１７］に記載の表示装置。
【発明の効果】
【００４７】
本発明に係る表示制御装置、表示システム、表示プログラム、表示装置によれば、第１表示装置と第２表示装置とが位置ズレしたりある程度離れたりしても、これらの表示装置を跨いで使用できる表示範囲を減らすことなく、第１表示装置の表示内容のどの部分と第２表示装置の表示内容のどの部分が元の画面で繋がっていたかを使用者に容易に認識させることができる。
【図面の簡単な説明】
【００４８】
【図１】本発明の実施の形態に係る表示システムの一例を示す図である。
【図２】第１表示装置の概略構成を示すブロック図である。
【図３】第２表示装置の概略構成を示すブロック図である。
【図４】対応付け情報として識別マークが表示された第１表示装置と第２表示装置の一例を示す図である。
【図５】対応付け情報として位置ズレ方向ラインが表示された第１表示装置と第２表示装置の一例を示す図である。
【図６】表示システムが行う表示処理を示す流れ図である。
【図７】位置ズレなしと判断して対応付け情報の表示を中止した場合の表示例を示す図である。
【図８】位置ズレなしと判断した場合に対応付け情報の表示を中止する場合の表示処理を示す流れ図である。
【図９】第１表示装置と第２表示装置に跨っているオブジェクト上に使用者の視線がある場合の対応付け情報の表示例を示す図である。
【図１０】視線に基づいて対応付け情報を表示する場合の表示処理を示す流れ図である。
【図１１】相対位置のズレに対して表示内容を移動させる従来例を示す図である。
【発明を実施するための形態】
【００４９】
以下、図面に基づき本発明の実施の形態を説明する。
【００５０】
図１は、本発明の実施の形態に係る表示システム５の一例を示している。表示システム５は、並べて使用されるが相対位置関係が固定されていない複数の表示装置で構成される。ここでは、表示システム５として第１表示装置１０と第２表示装置３０で構成される例を示すが、表示装置は３台以上でもかまわない。
【００５１】
第１表示装置１０と第２表示装置３０は並置して使用される、あるいは、両方を一人の使用者が見ることのできる範囲内で離されて使用される。
【００５２】
表示システム５は、表示対象一の画面（元画面とする）を第１画面と第２画面に分割し、第１画面を第１表示装置１０に第２画面を第２表示装置３０に分担させて表示させる機能と、第１表示装置１０の表示内容のどの部分と第２表示装置３０の表示内容のどの部分とが元画面において繋がっているかを示す対応付け情報を表示する機能を備えている。
【００５３】
なお、元画面は直線状の境界で第１画面と第２画面は分割されるものとする。
【００５４】
図１に示す表示システム５では、第１表示装置１０、第２表示装置３０はいずれも手持ち可能な可搬型の表示装置である。なお、第１表示装置１０と第２表示装置３０のいずれか一方は固定されていてもかまわない。たとえば、第１表示装置１０はコピーや印刷などの機能を備えた複合機が備える操作パネルであり、第２表示装置３０は手持ち可能な可搬型のタブレット端末などであってもよい。この場合、複合機の一の操作画面や設定画面が第１表示装置１０と第２表示装置３０に跨るように分割されて表示される。
【００５５】
図２は、第１表示装置１０の概略構成を示すブロック図である。第１表示装置１０は、当該第１表示装置１０の動作を統括制御するＣＰＵ(Central Processing Unit)１１を有している。ＣＰＵ１１にはバスを通じてＲＯＭ(Read Only Memory)１２と、ＲＡＭ(Random Access Memory)１３と、不揮発メモリ１４と、操作部１５と、表示部１６と、ネットワーク通信部１７と、近接無線通信部１８と、相対位置情報取得部２１と、視線検出部２２とが接続されている。
【００５６】
ＣＰＵ１１は、ＯＳ（Operating System）プログラムをベースとし、その上で、ミドルウェアやアプリケーションプログラムなどを実行する。
【００５７】
ＲＯＭ１２には、各種のプログラムが格納されており、これらのプログラムに従ってＣＰＵ１１が各種処理を実行することで第１表示装置１０の機能が実現される。
【００５８】
ＲＡＭ１３は、ＣＰＵ１１がプログラムに基づいて処理を実行する際に各種のデータを一時的に格納したり、表示データを格納したりするためのワークメモリとして使用される。
【００５９】
不揮発メモリ１４は、電源をオフにしても記憶内容が破壊されないメモリ（フラッシュメモリ）であり、各種設定情報の保存などに使用される。
【００６０】
表示部１６は、液晶ディスプレイ（ＬＣＤ…Liquid Crystal Display）などで構成され、指示された任意の表示内容を表示する機能を果たす。操作部１５は、少数のハードキーと、表示部１６の表示面上に設けられたスクリーン状のタッチパネル１５ａを備えている。タッチパネル１５ａは、タッチペンや指などで押下された座標位置や、フリック操作やドラッグ操作などを検出する。タッチパネル１５ａの検知方式は、静電容量、アナログ/デジタル抵抗膜、赤外線、超音波、電磁誘導等、任意でよい。
【００６１】
ネットワーク通信部１７は、ＬＡＮ(Local Area Network)などのネットワークを通じて複合機や他の外部装置との間でデータを通信する機能を果たす。たとえば、元画面のデータを外部装置から受信する。
【００６２】
近接無線通信部１８は、第１表示装置１０の近傍に配置された第２表示装置３０と無線通信する機能を果たす。近接無線通信部１８の通信可能距離は１〜３ｍ程度で十分である。通信方式には各種の近距離無線通信方式を採用することができる。
【００６３】
相対位置情報取得部２１は、第１表示装置１０とこれに並置された第２表示装置３０との相対位置を示す相対位置情報を取得する。ここでは、第１表示装置１０に設けられたセンサが、このセンサに対する第２表示装置３０の相対位置を検出する。たとえば、第２表示装置３０の周縁にスケールを印刷しておき、センサがこのスケールを読み取ることで、第１表示装置１０に対する第２表示装置３０の相対位置を検出する。
【００６４】
より詳細には、並置された際に第１表示装置１０に当接される第２表示装置３０の一辺に、その一辺における第２表示装置３０の表示部３６（図３参照）の表示領域の一端からの距離を示すスケール（目盛り）を設け、この目盛りを第１表示装置１０側のセンサで光学的に読み取ることで、第２表示装置３０の表示領域の相対位置が検出される。第２表示装置３０に上記センサを設け、第１表示装置１０側のスケールを読み取るようにしてもよい。
【００６５】
なお、相対位置の検出方法は任意でよい。第１表示装置１０と第２表示装置３０の双方にセンサを設けて、これらが共同して相対位置を検出するといった方法でもよい。
【００６６】
視線検出部２２は、第１表示装置１０の使用者の視線を検出する。視線の検出方法は任意でよい。たとえば、第１表示装置１０の正面の上部中央にカメラを設け、このカメラが撮影した画像を解析し、顔の向きや目の中の瞳の位置などから使用者の視線を検出する。
【００６７】
図３は、第２表示装置３０の概略構成を示すブロック図である。第２表示装置３０の構成は基本的に第１表示装置１０と同様である。ただし、第１表示装置１０と第２表示装置３０との相対位置を第１表示装置１０の相対位置情報取得部２１が検出する構成とした場合は、第２表示装置３０に相対位置情報取得部２１は不要である。
【００６８】
第２表示装置３０は当該第２表示装置３０の動作を統括制御するＣＰＵ３１と、ＲＯＭ３２と、ＲＡＭ３３と、不揮発メモリ３４と、操作部３５と、表示部３６と、ネットワーク通信部３７と、近接無線通信部３８と、視線検出部３９を備えている。
【００６９】
ＲＯＭ３２および不揮発メモリ３４には、各種プログラムやデータが格納され、これらのプログラムに従ってＣＰＵ３１が各種の処理を実行することで第２表示装置３０の各機能が実現される。ＲＡＭ３３はＣＰＵ３１がプログラムを実行する際に各種のデータを一時的に格納するワークメモリや表示データを一時記憶するメモリとして使用される。
【００７０】
不揮発メモリ３４は、電源がオフになっても記憶内容が保持されるメモリである。
【００７１】
表示部３６は、液晶ディスプレイなどで構成される。操作部３５は、表示部３６の表示面上の全面に設けられ、指やペンなどによってタッチされた位置を検出するタッチパネル３５ａで構成される。少数の操作スイッチを備えてもよい。
【００７２】
ネットワーク通信部３７は、無線通信によりネットワークと接続して各種の外部装置と通信する機能を果たす。近接無線通信部３８は、近傍の第１表示装置１０が備える近接無線通信部１８などと無線通信する機能を果たす。通信可能距離、通信方式等は第１表示装置１０の近接無線通信部１８と同一である。
【００７３】
視線検出部３９は、第２表示装置３０の使用者の視線を検出する。視線の検出方法は任意でよい。
【００７４】
図４は、対応付け情報として一対の識別マーク５１が表示された第１表示装置１０と第２表示装置３０の一例を示している。対応付け情報は、第１表示装置１０に表示された第１画面Ｒのどの箇所と第２表示装置３０に表示された第２画面Ｑのどの箇所とが元画面において繋がっていたかを示す情報である。
【００７５】
図４では、丸、三角、四角などの形状を識別マーク５１（５１ａ〜５１ｄ）としている。元画面において繋がっていた第１画面Ｒ側の第１箇所と第２画面Ｑ側の第２箇所に一対の識別マーク５１が表示されている。ここでは、一対の識別マーク５１は同じ形状のマークである。一対の識別マーク５１を複数表示する場合には、一対の識別マーク５１毎に異なる識別マークが使用される。
【００７６】
この例では、元画面において第１画面Ｒと第２画面Ｑに跨るオブジェクト毎に一対の識別マーク５１が表示されている。この場合、表示システム５は、まず、元画面において第１画面Ｒと第２画面Ｑに跨って存在するオブジェクトを検出する。そして、跨っている各オブジェクトについて、第１表示装置１０と第２表示装置３０のそれぞれに同じ識別マーク５１をそのオブジェクトの切れ目の箇所の近傍に表示させる。
【００７７】
識別マーク５１を表示すれば、第１表示装置１０と第２表示装置３０が隣接している場合に限らず、第１表示装置１０と第２表示装置３０がある程度離れている場合にも対応する箇所（元画面で繋がっていた箇所）を認識することができる。
【００７８】
なお、一対の識別マークの一方と他方は同じマークでもよいし、異なるマークでもよい。たとえば、凸と凹のように繋ぎ合わせを示唆するような異なるマークでもよい。
【００７９】
図５は、対応付け情報として位置ズレ方向ライン５３が表示された第１表示装置１０と第２表示装置３０の一例を示している。位置ズレ方向ライン５３は、元画面において繋がっていた第１画面Ｒ側の第１箇所と第２画面Ｑ側の第２箇所とを結ぶ線分である。位置ズレ方向ライン５３の傾斜は、相対位置情報取得部２１が出力する相対位置情報（位置ズレの方向と量）に基づいて決定する。位置ズレ方向ライン５３は、第１表示装置１０と第２表示装置３０の隣り合う端部の双方に表示されてもよいし、いずれか一方の表示装置の端部のみに表示されてもよい。
【００８０】
ここでは、元画面において第１画面Ｒと第２画面Ｑに跨っているオブジェクトについて、位置ズレ方向ライン５３を表示する。跨っているオブジェクトが複数存在する場合は、跨っているオブジェクト毎に位置ズレ方向ライン５３の表示態様を相違させてある。たとえば、位置ズレ方向ライン５３となる線分の種類、色、柄などを相違させる。また、第１表示装置１０と第２表示装置３０の双方に位置ズレ方向ライン５３を表示する場合には同じオブジェクトについて同じ表示形態の位置ズレ方向ライン５３を表示する。
【００８１】
図５では、第１表示装置１０に対して第２表示装置３０が少し下方に位置ズレしているので、跨っている各オブジェクトについて、第１表示装置１０の第２表示装置３０側の端部には斜め下向きの線分が位置ズレ方向ライン５３として表示され、第２表示装置３０の第１表示装置１０側の端部には斜め上向きの線分が位置ズレ方向ライン５３として表示されている。
【００８２】
位置ズレ方向ライン５３は、第１表示装置１０に表示された第１画面Ｒと第２表示装置３０に表示された第２画面Ｑが分割前の元画面と同じ並び順で並ぶように第１表示装置１０と第２表示装置３０が並置されているが、一定量以下の位置ズレがある場合に適している。また、位置ズレ方向ライン５３は、第１表示装置１０と第２表示装置３０が同一平面上で並置されている場合に適している。一定量は、対応するオブジェクトが位置ズレ方向ライン５３の延長上に存在するように位置ズレ方向ライン５３を表示し得る範囲である。
【００８３】
図６は、表示システム５が行う対応付け情報の表示処理の流れを示している。図６は、第１表示装置１０と第２表示装置３０との位置ズレ量に応じて、対応付け情報として識別マーク５１を表示するか位置ズレ方向ライン５３を表示するかを切り替える場合の処理を示している。
【００８４】
第１表示装置１０の相対位置情報取得部２１は、第１表示装置１０と第２表示装置３０との位置関係（位置ズレの方向と量）を測定する（ステップＳ１０１）。
【００８５】
次に、元画面を第１画面と第２画面に分割し、第１画面を第１表示装置１０に第２画面を第２表示装置３０に表示する（ステップＳ１０２）。たとえば、第１表示装置１０が左、第２表示装置３０が右となるよう左右に並んでいるときは、元画面を第１表示装置１０と第２表示装置３０の表示面のサイズに応じた比率で左右に分割したうちの左側の画面を第１画面として第１表示装置１０に、右側の画面を第２画面として第２表示装置３０に表示する。また、第１表示装置１０が上、第２表示装置３０が下となるよう上下に並んでいるときは、元画面を第１表示装置１０と第２表示装置３０の表示面のサイズに応じた比率で上下に分割し、上側の画面を第１画面として第１表示装置１０に、下側の画面を第２画面として第２表示装置３０に表示する。
【００８６】
第１表示装置１０と第２表示装置３０の隣り合う辺が離れているか否かを判断する（ステップＳ１０３）。より詳細には、第１表示装置１０と第２表示装置３０が同一平面内にあって位置ズレ量が一定量（予め定めた上限量）以下か否かを判断する。
【００８７】
隣り合う辺が離れている場合は（ステップＳ１０３；Ｙｅｓ）、対応付け情報として識別マーク５１を表示する（ステップＳ１０５）。隣り合う辺が離れていない場合は（ステップＳ１０３；Ｎｏ）、対応付け情報として位置ズレ方向ライン５３を表示する（ステップＳ１０４）。
【００８８】
次に、対応付け情報の表示の要否を判断する場合について説明する。
【００８９】
表示システム５は、第１表示装置１０と第２表示装置３０が位置ズレしているか否かを判断し、位置ズレしている場合には対応付け情報を表示し、位置ズレしていない場合には対応付け情報を表示しないように制御する。
【００９０】
図７は、位置ズレなしと判断して対応付け情報の表示を中止した場合の表示例を示している。
【００９１】
図８は、対応付け情報の表示の要否を判断する場合の表示処理の流れを示している。図６と同一処理のステップには同じステップ番号を付してある。第１表示装置１０の相対位置情報取得部２１は、第１表示装置１０と第２表示装置３０との位置関係（位置ズレの方向と量）を測定する（ステップＳ１０１）。次に、表示システム５は、元画面を第１画面と第２画面に分割し、第１画面を第１表示装置１０に第２画面を第２表示装置３０に表示する（ステップＳ１０２）。
【００９２】
次に、第１表示装置１０と第２表示装置３０が位置ずれしているか否かを判断する。詳細には、相対位置情報取得部２１によって取得した相対位置情報から第１表示装置１０と第２表示装置３０との相対位置を認識し、これに基づいて現在の表示状態において、第１表示装置１０に表示された第１画面と第２表示装置３０に表示された第２画面が位置ズレしているか否かを判定する。より詳細には、位置ズレ量が許容範囲内か否かを判定する。許容範囲は、固定値（たとえば、５ミリ）、あるいは跨っているオブジェクトの境界箇所における位置ズレ方向の幅のＮ分の１（たとえば２分の１）とする。
【００９３】
位置ズレがない場合は（ステップＳ１１３；Ｙｅｓ）、対応付け情報を表示しない。位置ズレがある場合は（ステップＳ１１３；Ｎｏ）、隣り合う辺が離れているか否かを判断する（ステップＳ１０３）。
【００９４】
隣り合う辺が離れている場合は（ステップＳ１０３；Ｙｅｓ）、対応付け情報として識別マーク５１を表示する（ステップＳ１０５）。隣り合う辺が離れていない場合は（ステップＳ１０３；Ｎｏ）、対応付け情報として位置ズレ方向ライン５３を表示する（ステップＳ１０４）。
【００９５】
次に、使用者の視線の位置に基づいて対応付け情報の表示を行う場合について説明する。
【００９６】
第１表示装置１０、第２表示装置３０の有する視線検出部２２、３９によって使用者の視線を検出し、使用者の視線の位置に第１表示装置１０と第２表示装置３０に跨るオブジェクトが存在する場合に、そのオブジェクトについて対応付け情報を表示する。
【００９７】
図９は、使用者の視線の位置が第１画面Ｒと第２画面Ｑに跨っているオブジェクトの上にある場合に、対応付け情報として位置ズレ方向ライン５３を表示した場合の表示例を示している。第１表示装置１０は第１表示装置１０を見ている使用者の視線を検出し、第２表示装置３０は第２表示装置３０を見ている使用者の視線を検出する。
【００９８】
図９（ａ）は、使用者の視線が第１表示装置１０に表示されたオブジェクトＨにある場合を示している。ここでは、視線の位置が任意のオブジェクト上に一定時間以上あるとき、視線がそのオブジェクト上で安定したと判断する。視線は同じオブジェクト上に一定時間以上あればよく、該オブジェクトに沿って移動してもよい。たとえば、横に長いオブジェクトを見ている使用者の視線が該オブジェクトにそって左から右に移動しても安定の判断を阻害しない。
【００９９】
同図（ａ）では、使用者の視線が第１表示装置１０に表示されているオブジェクトＨ上で安定したことが第１表示装置１０の視線検出部２２によって検出され、かつ、そのオブジェクトが第１表示装置１０と第２表示装置３０に跨って表示されているオブジェクトなので、該オブジェクトＨに対応する対応付け情報として位置ズレ方向ライン５３ａが表示されている。
【０１００】
ここでは、表示システム５は、使用者の視線の位置に基づいてオブジェクトＨを特定し、該オブジェクトＨのうちの第１画面Ｒと第２画面Ｑとの境界上の箇所を特定し、該特定した箇所の第１画面Ｒ側の箇所と第２画面Ｑ側の箇所とを対応付ける位置ズレ方向ライン５３ａを表示する、ように動作する。
【０１０１】
同図（ｂ）は、同図（ａ）の位置から使用者が視線を移動して第２表示装置３０に表示されているオブジェクトＦ上で視線が安定した場合を示している。同図（ｂ）では、使用者の視線が第２表示装置３０に表示されているオブジェクトＦ上で安定したことが第２表示装置３０の視線検出部３９によって検出され、かつ、そのオブジェクトが第１表示装置１０と第２表示装置３０に跨って表示されているオブジェクトなので、該オブジェクトＦに対応する対応付け情報として位置ズレ方向ライン５３ｂが表示されている。
【０１０２】
なお、オブジェクトに対する視線の検出に基づいて位置ズレ方向ライン５３を表示した場合には、そのオブジェクトから視線が外れた後も、所定の消去条件が成立するまで、位置ズレ方向ライン５３の表示は保持される。たとえば、位置ズレ方向ライン５３の表示は視線が他のオブジェクト上で次に安定するまで保持される。あるいは、位置ズレ方向ライン５３の表示は、該表示にかかわるオブジェクトから視線が外れてから所定時間が経過するまで保持される。あるいは、一方の表示装置で一のオブジェクトへの視線の検出に基づいて表示した位置ズレ方向ライン５３は、一旦、視線が当該オブジェクトから別の場所へ移動した後、同じ表示装置にて視線の安定が次に検出されるまで保持される。
【０１０３】
位置ズレ方向ライン５３の表示を保持する理由は、使用者が視線を、第１表示装置１０に表示された一のオブジェクトから第２表示装置３０に表示された同一のオブジェクトへ位置ズレ方向ライン５３に沿って真っ直ぐに移動させず、あちこちに視線を泳がせて移動させることがあると想定されることによる。
【０１０４】
たとえば、第１表示装置１０にてオブジェクトＨを見ていた使用者が、第１表示装置１０で見ていた該オブジェクトＨと第２表示装置３０に表示されているオブジェクトＨとを対応付ける位置ズレ方向ライン５３ａを見ないで、第２表示装置３０上の他のオブジェクトＦに視線を移動させてしまったとする。この場合でも、第１表示装置１０と第２表示装置３０のオブジェクトＨを対応付ける位置ズレ方向ライン５３ａの表示が保持されているので、使用者は位置ズレ方向ライン５３ａを頼りに、第２表示装置３０上のオブジェクトＨを容易に発見して視線を合わせることができる。
【０１０５】
図１０は、視線に基づいて対応付け情報を表示する場合に表示システム５が行う処理の流れを示している。図６と同一処理のステップには同じステップ番号を付してある。
【０１０６】
第１表示装置１０の相対位置情報取得部２１は、第１表示装置１０と第２表示装置３０との位置関係（位置ズレの方向と量）を測定する（ステップＳ１０１）。さらに、第１表示装置１０の視線検出部２２、第２表示装置３０の視線検出部３９のそれぞれで使用者の視線の検出処理を行う（ステップＳ１２１）。使用者が第１表示装置１０を見ている場合には第１表示装置１０の視線検出部２２が視線を検出し、使用者が第２表示装置３０を見ている場合は第２表示装置３０の視線検出部３９が視線を検出する。
【０１０７】
次に元画面を第１画面と第２画面に分割し、第１画面を第１表示装置１０に第２画面を第２表示装置３０に表示する（ステップＳ１０２）。
【０１０８】
使用者の視線が一方の表示装置で検出された場合、該一方の表示装置は視線のあるオブジェクトを視線先オブジェクトとして特定し、該視線先オブジェクトを他方の表示装置に通知する（ステップＳ１２２）。他方の表示装置はこの通知を受信する（ステップＳ１２３）。
【０１０９】
次に、第１表示装置１０と第２表示装置３０の隣り合う辺が離れているか否かを判断する（ステップＳ１０３）。隣り合う辺が離れている場合は（ステップＳ１０３；Ｙｅｓ）、前述の視線先オブジェクトに対する対応付け情報として識別マーク５１を表示する（ステップＳ１０５）。隣り合う辺が離れていない場合は（ステップＳ１０３；Ｎｏ）、前述の視線先オブジェクトに対する対応付け情報として位置ズレ方向ライン５３を表示する（ステップＳ１０４）。
【０１１０】
なお、視線がオブジェクト上にあるか否かに係らず、視線の位置の座標に基づいて、位置ズレ方向ライン５３などの対応付け情報を表示するようにしてもかまわない。
【０１１１】
たとえば、第１表示装置１０にて使用者の視線の安定を監視し、視線の安定が検出されたときの視線の位置の第１表示装置１０に表示されている第１画面上の座標を求める。元画面においてこの座標の示す位置から第１画面と第２画面との境界線に下ろした垂線が境界線と交差する交点を求める。この交点に対して第１画面側に接する位置を第１箇所、第２画面側に接する位置を第２箇所として求める。第１表示装置１０上での第１箇所の座標と第２表示装置３０上での第２箇所の座標を求める。そして、これらの座標と、相対位置情報取得部２１によって検出された第１表示装置１０と第２表示装置３０の相対位置情報（位置ズレ方向、位置ズレ量）とに基づいて、第１表示装置１０上の第１箇所と第２表示装置３０上の第２箇所とを結ぶ線分を位置ズレ方向ライン５３として表示する。
【０１１２】
以上説明したように、本実施の形態の表示システム５では、元画面を第１画面と第２画面に分割して第１画面を第１表示装置１０に第２画面を第２表示装置３０に表示させると共に、第１表示装置１０に表示された第１画面のどの部分と第２表示装置３０に表示された第２画面のどの部分とが元画面上で繋がっていたかを示す対応付け情報を表示する。これにより、第１表示装置１０と第２表示装置３０とが位置がズレたりある程度離れたりしても、これらの表示装置１０、３０を跨いで使用できる表示範囲を減らすことなく、第１表示装置１０の表示内容のどの部分と第２表示装置３０の表示内容のどの部分とが対応しているかを使用者に容易に認識させることができる。
【０１１３】
たとえば、複数行に渡る文書や表を、左右に並置した第１表示装置１０と第２表示装置３０に分割して表示している場合に、使用者は先頭からの行数を数えたりして、行の対応関係を確認する必要がなくなり、第１表示装置１０側の行と第２表示装置３０側の行との繋がりを間違って認識する可能性が軽減される。
【０１１４】
特に、対応付け情報として識別マーク５１を表示する場合には、第１表示装置１０と第２表示装置３０をある程度離しても、使用者に元画像において繋がっていた箇所を認識させることができる。そのため、一方の表示装置で閲覧、スクロール操作などを行った後、使用者が視線を他方の表示装置に移しても、一方の表示装置に表示されているオブジェクトと他方の表示装置に表示されているオブジェクトとの対応関係を見失うことがない。たとえば、第１表示装置１０が固定設置された装置の操作パネルであり、第２表示装置３０が可搬型の表示装置である場合に、元画面の中で機密度の高い項目を第２表示装置３０に表示させるようにすれば、可搬型の第２表示装置３０を手元に置いて閲覧・操作できるので、セキュリティの向上を図ることができる。
【０１１５】
また、位置ズレ方向ライン５３は、第１表示装置１０に表示された第１画面のどの箇所と第２表示装置３０に表示された第２画面のどの箇所とが元画面において繋がっていたかを使用者に直感的に理解し易く表示する。また、一方の表示装置から他方の表示装置へ視線を移動させる場合に位置ズレ方向ライン５３を辿って視線を移動させればよいので、対
をなす識別マーク５１を探す場合に比べて、対応する表示箇所へ視線をスムースに移動させることができる。
【０１１６】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１１７】
実施の形態では、第１表示装置１０と第２表示装置３０を左右に並置する例を示したが、上下に並置されてもかまわない。
【０１１８】
実施の形態では、対応付け情報として識別マーク５１と位置ズレ方向ライン５３を例示したが、これらに限定されるものではない。識別マーク５１は、図柄に限定されず、文字や記号でもよい。位置ズレ方向ライン５３は、矢印などでもよい。
【０１１９】
複数の表示装置に元画面を分割して表示する制御や対応付け情報を表示する制御は表示システム５の中のどの部分で行ってもよい。たとえば、複数の表示装置の中の１つの表示装置がマスタ機となり、該マスタ機で元画面の分割や対応付け情報の種類や表示位置の決定などを行う。そして、マスタ機は、その結果にしたがって自装置での画面および対応付け情報を表示すると共に、他の表示装置にその表示装置に表示する画面のデータや対応付け情報の種類や表示位置を示す情報を送信する。他の装置はマスタ機から受信したデータに基づいて画面や対応付け情報を表示する。
【０１２０】
また、表示システム５は、各表示装置と通信可能に接続されたサーバ等を表示制御装置として設け、相対位置情報や視線の検出情報を表示装置からサーバに送信し、サーバにて元画面の分割や対応付け情報の表示に関する制御を行い、各表示装置はサーバからの指示に従って画面や対応付け情報の表示を行う、といった構成でもよい。
【０１２１】
第１表示装置１０や第２表示装置３０において、画面の拡大・縮小操作やスクロール操作を受けるように構成されてもよい。この場合、一方の表示装置で受けた操作に連動して他方の表示装置の画面も拡大・縮小やスクロールするように構成することが好ましい。たとえば、元画面を左右に分割された第１画面と第２画面のいずれか一方に対して右または左へのスクロール操作を受けると、元画面上での第１画面と第２画面の境界位置もスクロールに伴って移動し、第１画面と第２画面が同時に同方向へ同じ速さでスクロールする、というように動作する。
【符号の説明】
【０１２２】
５…表示システム
１０…第１表示装置
１１…ＣＰＵ
１２…ＲＯＭ
１３…ＲＡＭ
１４…不揮発メモリ
１５…操作部
１５ａ…タッチパネル
１６…表示部
１７…ネットワーク通信部
１８…近接無線通信部
２１…相対位置情報取得部
２２…視線検出部
３０…第２表示装置
３１…ＣＰＵ
３２…ＲＯＭ
３３…ＲＡＭ
３４…不揮発メモリ
３５…操作部
３５ａ…タッチパネル
３６…表示部
３７…ネットワーク通信部
３８…近接無線通信部
３９…視線検出部
５１、５１ａ〜５１ｄ…識別マーク
５３、５３ａ、５３ｂ…位置ズレ方向ライン
Ｒ…第１画面
Ｑ…第２画面
【図１】
2015049341.tif 000003
【図２】
2015049341.tif 000004
【図３】
2015049341.tif 000005
【図４】
2015049341.tif 000006
【図６】
2015049341.tif 000007
【図７】
2015049341.tif 000008
【図８】
2015049341.tif 000009
【図１０】
2015049341.tif 000010
【図１１】
2015049341.tif 000011
【図５】
2015049341.tif 000012
【図９】
2015049341.tif 000013